(57)【要約】      （修正有）【課題】特に省材料、耐用性、堅固さ及び美感に優れた木製容器を提供する。【解決手段】容器本体５０と、容器側体５０’とにより構成される木製容器であって、前記容器本体５０は、一つの容器底面５１と、前記容器底面５１の長手側に接合され、上向きに立設される一対の容器側面５２と、を備える。容器側体５０’は、当接片５３と、上嵌合片５４と、少なくとも二つの接着片５５と、を備える。当接片５３の上辺に上嵌合片５４を当接し、当接片５３の両端に接着片５５をそれぞれ当接するとともに、上嵌合片５４を当接片５３の内面に積層してなるように折り曲げる。容器本体５０の容器側面５２間に、容器側体５０’の上嵌合片５４と当接片５３を係合させるとともに、容器側体５０’の各接着片５５を容器本体５０の容器側面５２の外面に接着する。【選択図】図１１
0003152979.tif 000002
【実用新案登録請求の範囲】
【請求項１】
容器本体と、容器側体とにより構成される木製容器であって、
前記容器本体は、一つの容器底面と、前記容器底面の長手側に接合され、上向きに立設される一対の容器側面と、を備え、
前記容器側体は、一つの当接片と、一つの上嵌合片と、少なくとも二つの接着片と、を備え、前記当接片の上辺に前記上嵌合片を当接し、前記当接片の両端に前記接着片をそれぞれ当接するとともに、前記上嵌合片を前記当接片の内面に積層してなるように折り曲げる一方、
前記容器本体の一対の前記容器側面間に、前記容器側体の前記上嵌合片と前記当接片を係合させるとともに、前記容器側体の各接着片を前記容器本体の前記容器側面の外面に折り曲げて接着してなることを特徴とする、木製容器。
【請求項２】
前記容器側体は、さらに一つの下嵌合片を備え、前記下嵌合片は、前記当接片の下辺に当接されるとともに、前期当接片の内面に積層してなるように折り曲げられ、前記接着片と前記当接片は、高さが同一となり、且つ前記容器本体の前記容器側面は、高さが前記接着片と前記当接片より低くなることを特徴とする、請求項１に記載の木製容器。
【請求項３】
前記容器本体は、平面形状が四角形を呈し、且つ前記容器側体は、二個からなることを特徴とする、請求項１に記載の木製容器。
【請求項４】
前記容器本体は、平面形状が六角形を呈し、且つ前記容器側体は、二個からなることを特徴とする、請求項１に記載の木製容器。
【請求項５】
前記容器本体は、平面形状が八角形を呈し、且つ前記容器側体は、四個からなることを特徴とする、請求項１に記載の木製容器。
【考案の詳細な説明】
【技術分野】
【０００１】
本考案は新鮮な食材やお土産などを包装するのに用いる容器に係り、特に省材料、環境保全、耐用性、堅固さ及び美感に優れた木製容器に関する。
【背景技術】
【０００２】
今日は、環境汚染や環境保全という問題が重要視されており、一回使い捨ての包装容器を例にして言えば、木製容器は天然の木材が使用され、生物分解でき、しかも環境にやさしいから、人気がますます上昇している。
【０００３】
木製包装容器は当初、お土産を包装するのに供するものとして、木製肉厚シート包装箱が使用され、十数年の発展に伴い、現在、新鮮な食材の包装を含め、薄いシート包装箱が多用されるようになっている。一例として、台湾市場に出回っている「池上弁当」が挙げられる。
【０００４】
包装容器の選択にあたっては、容器本体の丈夫さ（強度）、実用性、貯蔵性、運搬性及び製造コストなどの要素を考慮しなければならない。しかも、木製包装容器の大量生産や普及に阻害要因を排除する必要もある。現在、木製包装容器としては、木製シート容器と、４角折り畳み式木製容器と、折箱式木製容器と、ＤＩＹ式木製容器が概ね分類されている。
【０００５】
図１と図２を参照すると、従来の木製シート容器１０は、台湾において最初に使用普及されている矩形の木製容器である。前記木製シート容器１０は、厚さが１．７ミリメートルである長方形の木製シートからなる。まず、一枚の前記木製シートを折り曲げることにより、容器底面１１と一対の側壁１２とを形成しておく。次に、前記一対の側壁１２の両端に貼り紙１３をそれぞれ貼り付け、別の二枚の木製シート１４を挿入することにより、木製シート容器１０を完成する。
【０００６】
一方で、前記木製シート容器の側壁１２は、木製シートの繊維方向が縦方向であり、食べ物を入れた後に、湿気を吸い取るため、断裂が起き易くなる。このため、前記側面の上側縁にPVC（ポリ塩化ビニル）シール１５を接着し、補強を行うのである。しかし、これは環境保全に合致せず、美感を損なうという難点があった。さらに、木製シート容器１０は、手工で接着製作されるため、側壁１２の貼り紙１３と二枚の木製シート１４は、高さが不一致となり易く、この寸法不一致の調整に余計な手間がかかる場合もあった。
【０００７】
図３と図４を参照すると、従来の４角折り畳み式木製容器２０は、前述と同様に、一枚の木製シートを裁断機により切断することにより、容器底面１１と、側壁２２、２２と、側壁２３、２３を形成してなる。二つの側壁２３、２３の両端には、四つの接着片２４（四耳とも呼ぶ）が延伸して設けられてある。これにより、木製シートを折り曲げた後に、前記接着片２４を前記側壁２２、２２の四箇所の外縁面に接着し、木製容器２０を完成する。
【０００８】
前記木製シート容器１０に比べて、４角折り畳み式木製容器２０は機械加工により制作されるため、製品の品質と規格が標準化され易く、大量生産に適するという利点がある。しかし、全体としては、同一の木製シートを採用し、二つの側壁２３の木質繊維が縦方向に沿うため、食材を入れた後に、湿気の吸収、又は食材の加熱により、ねじり変形が起きる。さらに、二つの前記側壁２２は、木質繊維が横方向に沿うため、前記ねじり変形に抵抗する。これにより、四つの辺縁連結部２５の断裂を引き起こす恐れがある。
【０００９】
その他、運搬や貯蔵に際して、４角折り畳み式木製容器２０を積み重ねるのが通常である。この積み重ねにより、四つの辺縁連結部２５が損傷を受ける場合がある。
【００１０】
図５と図６を参照すると、従来の折箱式木製容器３０は、独立の容器底面３１と、側壁３２と、側壁３３とからなり、手工と型で接着により製作される。この折箱式木製容器３０は、木材が比較的に多用され、製作工程が複雑であるため、価格が割高となり、同時に大量生産と省エネに不向きである。さらに、折箱式木製容器３０は、同一の寸法であるため、お互いに積み重ねて嵌合するのに不向きであり、しかも容器自体が直角で、大きなスペースの確保が必要となり、運搬と貯蔵コストが嵩むという問題があった。なお、折箱式木製容器３０は、例えば、筋子、チョコレート、ケーキなどの比較的高価の食品を包装するのに多用されている。
【００１１】
図７と図８を参照すると、従来のＤＩＹ式木製容器４０は、前述した４角折り畳み式木製容器に類似し、一枚の木製シートを裁断機により切断することにより形成されるものであり、容器底面４１と、容器側面４２と、容器側面４３と、前記容器側面４２に接着され、前記容器側面４３の両端から張り出される、接合側面４４と、により構成される。
【００１２】
前記容器側面４２の外面に両面接着シールが予め用意されてあるため、ユーザーが所定の需要に応じて、使用直前にこのＤＩＹ式木製容器を折り畳みと接着により簡単に完成することができる。このＤＩＹ式木製容器は、一枚の薄いシートの形で運搬と貯蔵ができるため、運搬コストと貯蔵空間の無駄を省くことができる。
【００１３】
前記ＤＩＹ式木製容器４０は、ケーキの包装に多用されているが、コーナーの辺縁連結部４５が断裂され易く、丈夫さや強度に問題が残っているため、広範な使用に至らなかった。また、一枚の薄い木製シートを使用して製作する必要があり、寸法が多くなればなるほど、面積がより大きい木製シートが必要となるため、木材の入手が困難となる場合、大量生産及び廉価で良い製品の実現が難しくなる。
本考案は、従来の木製容器の上記した欠点に鑑みてなされたものである。
【考案の概要】
【考案が解決しようとする課題】
【００１４】
本考案の課題は、省材料、材料の入手が容易で、製造が簡易で、堅固さ、実用性及び美感に優れた木製容器を提供することにある。
【課題を解決するための手段】
【００１５】
上記課題を解決するために、本考案は容器本体と、容器側体とにより構成される木製容器であって、前記容器本体は、一つの容器底面と、前記容器底面の長手側に接合され、上向きに立設される一対の容器側面と、を備え、前記容器側体は、一つの当接片と、一つの上嵌合片と、少なくとも二つの接着片と、を備え、前記当接片の上辺に前記上嵌合片を当接し、前記当接片の両端に前記接着片をそれぞれ当接するとともに、前記上嵌合片を前記当接片の内面に積層してなるように折り曲げる一方、前記容器本体の一対の前記容器側面間に、前記容器側体の前記上嵌合片と前記当接片を係合させるとともに、前記容器側体の各接着片を前記容器本体の前記容器側面の外面に折り曲げて接着してなることを特徴とするものである。
【００１６】
前記容器側体は、さらに一つの下嵌合片を備え、前記下嵌合片は、前記当接片の下辺に当接されるとともに、前期当接片の内面に積層してなるように折り曲げられ、前記接着片と前記当接片は、高さが同一となり、且つ前記容器本体の前記容器側面は、高さが前記接着片と前記当接片より低くなる。
【００１７】
前記容器本体は、平面形状が四角形、六角形又は八角形のいずれか一つの形状を呈する。
【考案の効果】
【００１８】
本考案は、上記構成を有するものあり、省材料、材料の入手性、実用性及び美感に優れるとともに、製造が簡易で、構造が堅固であるという効果を奏する。
【図面の簡単な説明】
【００１９】
【図１】公知の木製シート容器の全体斜視図である。
【図２】公知の木製シート容器の分解斜視図である。
【図３】公知の４角折り畳み式木製容器の全体斜視図である。
【図４】公知の４角折り畳み式木製容器の展開斜視図である。
【図５】公知の折箱式木製容器の全体斜視図である。
【図６】公知の折箱式木製容器の分解斜視図である。
【図７】公知のＤＩＹ式木製容器の全体斜視図である。
【図８】公知のＤＩＹ式木製容器の分解斜視図である。
【図９】本考案に係る木製容器の実施例１の全体斜視図である。
【図１０】本考案に係る木製容器の実施例１の展開平面図である。
【図１１】本考案に係る木製容器の実施例１の分解斜視図である。
【図１２】本考案に係る木製容器の実施例１の局部分解斜視図である。
【図１３】本考案に係る木製容器の実施例２の全体斜視図である。
【図１４】本考案に係る木製容器の実施例２の分解斜視図である。
【図１５】本考案に係る木製容器の実施例３の全体斜視図である。
【図１６】本考案に係る木製容器の実施例３の展開平面図である。
【図１７】本考案に係る木製容器の実施例３の分解斜視図である。
【図１８】本考案に係る木製容器の実施例４の全体斜視図である。
【図１９】本考案に係る木製容器の実施例４の分解斜視図である。
【図２０】本考案に係る木製容器の実施例５の全体斜視図である。
【図２１】本考案に係る木製容器の実施例５の展開平面図である。
【図２２】本考案に係る木製容器の実施例５の分解斜視図である。
【考案を実施するための形態】
【００２０】
以下に図面を参照しながら本考案を実施するための最良の形態について詳細に説明する。
【実施例１】
【００２１】
図９に示すように、本考案の実施例１による木製容器は、容器本体５０と、容器側体５０’とにより構成される。
【００２２】
前記容器本体５０は、矩形の直角木製箱体であり、一つの容器底面５１と、前記容器底面５１の長手側に接合され、上向きに立設される一対の容器側面５２、５２と、を備える。これにより、上面が開口される収容空間５６が形成される。
【００２３】
前記容器側体５０’は、一つの当接片５３と、一つの上嵌合片５４と、少なくとも二つの接着片５５と、を備える。前記当接片５３の上辺には、前記上嵌合片５４を当接し、前記当接片５３の両端には前記接着片５５をそれぞれ当接するとともに、前記上嵌合片５４を前記当接片５３の内面に積層してなるように折り曲げる。
【００２４】
前記容器本体５０の一対の前記容器側面５２間には、前記容器側体５０’の前記上嵌合片５４と、前記当接片５３を係合させるとともに、前記容器側体５０‘の各接着片５５を前記容器本体５０の前記容器側面５２の外面に折り曲げて接着する。これにより、開口５７を有し、側壁の全てを閉じる収容空間５６が形成される。
【００２５】
図１０乃至図１２に示すように、前記容器側体５０’の前記上嵌合片５４の長尺側辺５４１と短尺側辺５４２と、前記容器本体５０の前記容器底面５１の長尺内側辺５１１と前記容器側面５２の短尺内側辺５２１とは、長さと高さの寸法がそれぞれ同じである。しかも当接片５３の長尺側辺５３１は、長さが、前記容器本体５０の前記容器底面５１の長尺内側辺５１１の長さと二つの容器側面５２、５２の厚さとの和に等しい。
【００２６】
前記容器側体５０’の前記上嵌合片５４を反って折り曲げて、当接片５３の内表面に接着した後に、容器側体５０’の嵌合領域５８（図１１と図１２に示す斜線部分を参照）が形成され、しかも前記容器本体５０の前記容器底面５１と前記容器側面５２と吻合することができる。これにより、補助型（又はモールド）を使用することなく、二つの当接片５３、５３を前記容器底面５１と前記容器側面５２とに容易に組み立てることができ、しかもその位置ずれが起き難い。
【００２７】
さらに、容器側面５２の外面には、接着片５５を折り曲げて接着し、前記接着片５５は、上嵌合片５４と合わせて、凹状差込溝を形成するとともに、容器側面５２の各連結側縁を挟む。これにより、木製容器全体は、堅固さが増し、形状が安定し、変形が起き難くなり、しかも従来の木製容器は連結側縁が割れ易いという問題を解決することができる。
【００２８】
その他、本考案の木製容器は、機械式裁断機により切断された木材を使用しているため、製品の規格標準化と再現性が実現し易くなり、しかも無駄な資源浪費につながる補助型又はモールドが不要となり、全体の組み立てが簡単かつ迅速となり、大量生産にも有利である。
【００２９】
以上を総合すると、本考案では、従来の木製容器の問題点に対して、木質繊維を切断せず、当接片５３に上嵌合片５４を当接するとともに、当接片５３の内表面５３２に接着することにより、容器底面５１と容器側面５２と組み立て易い嵌合領域５８（図１１と図１２に示す斜線部分を参照）を形成し、さらに当接片５３に当接している各接着片５５を折り曲げて、上嵌合片５４と合わせて、「凹状差込溝」を形成し、この「凹状差込溝」は、容器側面５２の各連結側縁を挟むようになっている。これにより、容器全体は組み立てが簡易となり、堅固さが増すようになる。
【００３０】
材料の入手を考慮すると、本考案は、数個の独立した部材を組み立てる方式を採用するため、木材をより充分かつ完全に使用することができる。その他、肉厚シート木材を使用することなく、堅固な容器の構造を達成することができ、従来の強度不足の欠点を改善し、省資源と環境保全の促進に一定の役割を果たすことができる。
【００３１】
また、前述した容器の堅固さを強める構成の以外には、嵌合と挟持の方法を使用することにより、接着片５５を折り曲げて、上嵌合片５４と容器側面５２とを係合させるとともに、前記接着片５５が前記上嵌合片５４の側辺の嵌合領域５８を挟むこともでき、堅固さがより高くなる。また、当接片５３は、容器底面５１と容器側面５２と独立して（即ち、容器本体５０と容器側体５０’とは、分離する形態となっている）構成されており、木質繊維が横方向に沿う木材を使用することができるので、木質繊維が縦方向に沿う木材を使用するのに伴う従来の容器の変形問題を改善することができる。
【００３２】
木製容器の組み立てを考慮するために、上嵌合片５４が木質繊維を切断することなく、当接片５３と当接するとともに、当接片５３の内表面５３２に折り曲げて接着し、嵌合領域５８を形成する。これにより、無駄な作業時間を省き、補助型を不要とし、接合位置を簡単に決め、容器底面５１と二つの容器側面５２とに二つの当接片５３を組み立てることができる。しかも製品の規格標準化、大量生産を実現することができる。
【実施例２】
【００３３】
図１３と図１４に示すように、本考案の実施例２による木製容器は、容器本体６０と、二つの容器側体６０’とにより構成される。
【００３４】
前記容器本体６０は、矩形の直角木製箱体であり、一つの容器底面６１と、前記容器底面６１の長手側に接合され、上向きに立設される一対の容器側面６２、６２と、を備える。これにより、上面が開口される収容空間６６が形成される。
【００３５】
前記容器側体６０’は、一つの当接片６３と、一つの上嵌合片６４と、少なくとも二つの接着片６５と、を備える。前記当接片６３の上辺には、前記上嵌合片６４を当接し、前記当接片６３の両端には前記接着片６５をそれぞれ当接するとともに、前記上嵌合片６４を前記当接片６３の内面に積層してなるように折り曲げる。
【００３６】
容器側面６２、当接片６３及び上嵌合片６４の寸法は、容器本体の所定角度、容器底面６１と容器側面６２の寸法に応じて決定すればよい。実施例１と同様に、上嵌合片６４を反って折り曲げて、当接片６３の内表面に接着し、嵌合領域６７（図１４に示す斜線部分を参照）を形成する。その他の構成、作用、効果は基本的に実施例１と同一であるため、その詳細は省略する。
【実施例３】
【００３７】
図１５乃至図１７に示すように、本考案の実施例３による木製容器は、容器本体７０と、容器側体７０’とにより構成される。
【００３８】
前記容器本体７０は、矩形の直角木製箱体であり、一つの容器底面７１と、前記容器底面７１の長手側に接合され、上向きに立設される一対の容器側面７２、７２と、を備える。これにより、上面が開口される収容空間７６が形成される。
【００３９】
前記容器側体７０’は、当接片７３と、上嵌合片７４と、二つの接着片７５と、下嵌合片７７と、を備える。前記当接片７３の上辺と下辺には、前記上嵌合片７４と前記下嵌合片７７とをそれぞれ当接し、前記当接片７３の両端には前記接着片７５をそれぞれ当接するとともに、前記上嵌合片７４と前記下嵌合片７７を前記当接片７３の内面に積層してなるように折り曲げる。しかも、前記当接片７３に前記上嵌合片７４と前記下嵌合片７７を積層した後に、嵌合領域７８（図１７に示す斜線部分を参照）を形成する。
【００４０】
実施例３の特徴は、接着片７５と当接片７３とは、高さが同じであり、しかも容器本体７０の容器側面７２の高さｄは、接着片７５と当接片７３の高さｄ１より小さくなっていることにある。これにより、組み立てた後に、より高い容器脚７５１を形成する。
【００４１】
二つの容器側体７０’を容器本体７０上に組み立てるとき、容器底面７１と容器側面７２の肉厚を容器側体７０’の嵌合領域７８内に丁度嵌合して、吻合するとともに、固着を行う。なお、その他の構成、作用、効果は基本的に実施例１と同一であるため、その詳細は省略する。
【実施例４】
【００４２】
図１８と図１９に示すように、本考案の実施例４による木製容器は、一つの容器本体８０と、四つの容器側体８０’とにより構成される。
【００４３】
実施例４では、前記容器本体８０は、平面形状が八角形を呈し、容器底面８１と四つの容器側面８２とからなり、しかも容器側体８０’には、嵌合領域８３（図１９に示す斜線部分を参照）をそれぞれ設け、前記嵌合領域８３は、容器本体８０と吻合して固着を行う。前記容器本体８０に各容器側体８０’を組み立てる方法に関しては、前述した実施例１と同一であるため、その詳細は省略する。
【実施例５】
【００４４】
図２０乃至図２１に示すように、本考案の実施例５による木製容器は、一つの容器本体９０と、二つのより長くした容器側体９０’とにより構成される。
【００４５】
実施例５では、前記容器本体９０は、平面形状が六角形を呈し、容器底面９１と二つの容器側面９２とからなり、しかも容器本体９０と容器側体９０’には、嵌合領域９３、９４（図２１に示す斜線部分を参照）をそれぞれ設け、相互の吻合と固着に供する。前記容器本体９０に各容器側体９０’を組み立てる方法に関しては、前述した実施例１と同一であるため、その詳細は省略する。
【符号の説明】
【００４６】
公知の技術に係る部分
１０    木製シート容器
１１    容器底面
１２    側壁
１３    貼り紙
１４    木製シート
１５    ＰＶＣシール
２０    ４角折り畳み式木製容器
２２    側壁
２３    側壁
２４    接着片
２５    辺縁連結部
３０    折箱式木製容器
３１    容器底面
３２    側壁
３３    側壁
４０    ＤＩＹ式木製容器
４１    容器底面
４２    容器側面
４３    容器側面
４４    接合側面
４５    辺縁連結部
本考案に係る部分
５０    容器本体
５０’  容器側体
５１    容器底面
５１１  長尺内側辺
５２    容器側面
５２１  短尺内側辺
５３    当接片
５３１  長尺側辺
５３２  内表面
５４    上嵌合片
５４１  長尺側辺
５４２  短尺側辺
５５    接着片
５６    収容空間
５７    開口
５８    嵌合領域
６０    容器本体
６０’  容器側体
６１    容器底面
６２    容器側面
６３    接着片
６４    上嵌合片
６５    接着片
６６    収容空間
６７    嵌合領域
７０    容器本体
７０’  容器側体
７１    容器底面
７２    容器側面
７３    接着片
７４    上嵌合片
７５    接着片
７５１  容器脚
７６    収容空間
７７    下嵌合片
７８    嵌合領域
８０    容器本体
８０’  容器側体
８１    容器底面
８２    容器側面
８３    嵌合領域
９０    容器本体
９０’  容器側体
９１    容器底面
９２    容器側面
９３    嵌合領域
９４    嵌合領域
【図１】
0003152979.tif 000003
【図２】
0003152979.tif 000004
【図３】
0003152979.tif 000005
【図４】
0003152979.tif 000006
【図５】
0003152979.tif 000007
【図６】
0003152979.tif 000008
【図７】
0003152979.tif 000009
【図８】
0003152979.tif 000010
【図９】
0003152979.tif 000011
【図１０】
0003152979.tif 000012
【図１１】
0003152979.tif 000013
【図１２】
0003152979.tif 000014
【図１３】
0003152979.tif 000015
【図１４】
0003152979.tif 000016
【図１５】
0003152979.tif 000017
【図１６】
0003152979.tif 000018
【図１７】
0003152979.tif 000019
【図１８】
0003152979.tif 000020
【図１９】
0003152979.tif 000021
【図２０】
0003152979.tif 000022
【図２１】
0003152979.tif 000023
【図２２】
0003152979.tif 000024